(57)【要約】【課題】常に正しい組み合わせのもとで機器相互を簡単に連結して誤連結を確実に防止することができる連結用機器相互の誤連結防止構造の提供。【解決手段】一側機器１１の一側連結面は、一側ブッシュ２２を位置決めして嵌合配置できる一側連結部１４を備え、他側機器３１の他側連結面３３は、他側ブッシュ４２を位置決めして嵌合配置できる他側連結部３４を備え、その連結時に他側ブッシュ４２が備える突出溝部内に一側ブッシュ２２が備える突起部を配置できるか否かをもって連結の正誤をチェックできるようにした。【選択図】図８
2008270336.tif 000002
【特許請求の範囲】
【請求項１】
対面配置される一側連結面と他側連結面とを介して相互に連結される一側機器と他側機器とで少なくとも構成され、
前記一側連結面は、円筒状のブッシュ本体部の外周面にその軸方向に沿わせた１条の突起部が突設され、ねじ挿通孔を備えて前記ブッシュ本体部の内部空間が隔壁部により仕切られてなる一側ブッシュとの関係で、前記ブッシュ本体部が嵌着される円形凹部と、該円形凹部に連通させて径方向での外方に向かい、かつ、その周方向に各別に設けられて前記突起部が配置される複数個のキー溝とからなる一側連結部を備え、
前記他側連結面は、一側ブッシュにおける前記ブッシュ本体部が浅く嵌合配置されるねじ挿通孔付きの底部を有する筒体部と、該筒体部の内部空間と連通して一側ブッシュにおける前記突起部が配置される１条の突出溝部とを有する他側ブッシュとの関係で、前記筒体部が嵌合配置される円形凹部と、該円形凹部に連通させて径方向での外方に向かい、かつ、その周方向に各別に設けられて前記突出溝部が配置される複数個の位置決め溝とからなる他側連結部を、その対面時に前記一側連結部と対向する位置に備え、
同一機種として組み合わされる前記一側機器と前記他側機器とは、他側連結面の前記他側連結部に嵌合配置してねじ止めされた前記他側ブッシュに対し、正対させた一側連結面の前記一側連結部に前記他側ブッシュとの嵌合を自在にねじ止めされた前記一側ブッシュを介して連結させたことを特徴とする連結用機器相互の誤連結防止構造。
【請求項２】
前記一側ブッシュと前記他側ブッシュとのそれぞれは、相互を嵌合連結させた際に前記一側連結面と前記他側連結面とが備える突出部が相手側への当接を回避し得る座高を具備させて形成した請求項１に記載の連結用機器相互の誤連結防止構造。
【発明の詳細な説明】
【技術分野】
【０００１】
本発明は、例えばデータロガーとアンプユニットとの組み合わせなどからなる本体ユニット機器に、該本体ユニット機器との関係で定まる特定の入力端子などからなる対応ユニット機器を連結してある特定機種の装置として用いる際に、相互を常に正しい組み合わせで連結することができる連結用機器相互の誤連結防止構造に関する技術である。
【背景技術】
【０００２】
例えばデータロガーとアンプとを組み合わせるなどして構成される本体ユニット機器は、該本体ユニット機器との関係で定まる特定の入力端子などからなる対応ユニット機器を連結してある特定機種の装置として使用される例が多い。
【０００３】
このような場合の機器相互は、例えば下記特許文献１に開示されているような連結構造のもとで連結して一つの装置として使用される例が多くある。
【特許文献１】特開２００４−１７２４６８号公報（同文献中の図５参照）。
【０００４】
上記特許文献１の図５に開示されている連結構造は、入力ユニット側の連結面の上下方向に配設されている取付け穴付きの各スペーサ部材に対し、端子板ユニットの連結面に設けられているねじ孔からねじを送り込んで螺着する手法が採用されている。
【０００５】
したがって、このような連結構造は、各入力ユニットと各端子板ユニットとが常に同一性能のものとして用意されるのであれば、単に組み合わせればよいので特に問題が生じることはない。
【発明の開示】
【発明が解決しようとする課題】
【０００６】
しかし、各入力ユニットと各端子板ユニットとがそれぞれの性能は異なるものの、外観形状が同一である場合には、個々の機種に応じてその組合せパターンを変えようとするとき、上記特許文献１に開示されている連結構造によっては正しい組み合わせのもとで連結することが困難になる不具合があった。
【０００７】
本発明は、従来技術の上記課題に鑑み、機器相互の連結を特定機種との関係で定まる常に正しい組み合わせのもとで簡単に連結して相互の誤連結を確実に防止することができる連結用機器相互の誤連結防止構造を提供することを目的とする。
【課題を解決するための手段】
【０００８】
本発明は、上記目的を達成すべくなされたものであり、対面配置される一側連結面と他側連結面とを介して相互に連結される一側機器と他側機器とで少なくとも構成され、前記一側連結面は、円筒状のブッシュ本体部の外周面にその軸方向に沿わせた１条の突起部が突設され、ねじ挿通孔を備えて前記ブッシュ本体部の内部空間が隔壁部により仕切られてなる一側ブッシュとの関係で、前記ブッシュ本体部が嵌着される円形凹部と、該円形凹部に連通させて径方向での外方に向かい、かつ、その周方向に各別に設けられて前記突起部が配置される複数個のキー溝とからなる一側連結部を備え、前記他側連結面は、一側ブッシュにおける前記ブッシュ本体部が浅く嵌合配置されるねじ挿通孔付きの底部を有する筒体部と、該筒体部の内部空間と連通して一側ブッシュにおける前記突起部が配置される１条の突出溝部とを有する他側ブッシュとの関係で、前記筒体部が嵌合配置される円形凹部と、該円形凹部に連通させて径方向での外方に向かい、かつ、その周方向に各別に設けられて前記突出溝部が配置される複数個の位置決め溝とからなる他側連結部を、その対面時に前記一側連結部と対向する位置に備え、同一機種として組み合わされる前記一側機器と前記他側機器とは、他側連結面の前記他側連結部に嵌合配置してねじ止めされた前記他側ブッシュに対し、正対させた一側連結面の前記一側連結部に前記他側ブッシュとの嵌合を自在にねじ止めされた前記一側ブッシュを介して連結させたことを最も主要な特徴とする。
【０００９】
この場合、前記一側ブッシュと前記他側ブッシュとのそれぞれは、相互を嵌合連結させた際に前記一側連結面と前記他側連結面とが備える突出部が相手側への当接を回避し得る座高を具備させて形成するのが好ましい。
【発明の効果】
【００１０】
請求項１に記載の発明によれば、一側機器の一側連結面は、一側ブッシュを位置決めして嵌合配置できる一側連結部を備え、他側機器の他側連結面は、他側ブッシュを位置決めして嵌合配置できる他側連結部を備え、その連結時に他側ブッシュが備える突出溝部内に一側ブッシュが備える突起部を配置できるか否かにより連結の正誤をチェックして、誤連結を確実に防止することができる。
【００１１】
請求項２に記載の発明によれば、一側ブッシュと他側ブッシュとのそれぞれは、相互を嵌合連結させた際に一側連結面と他側連結面とが備える突出部材が相手側に当接するのを回避できる座高を備えているので、相互間に突出部材の高さを吸収できる間隔を介在させて一側機器と他側機器とを相互に安定的に連結することができる。
【発明を実施するための最良の形態】
【００１２】
図１は、本発明の一例につき、その一側機器側の一側連結面を示す説明図である。図２は、該一側連結面側に配置される一側ブッシュの説明図であり、そのうちの（ａ）は全体斜視図を、（ｂ）は（ａ）の横断面図をそれぞれ示す。また、図３は、一側機器に一側ブッシュを配置した状態を示す全体斜視図である。
【００１３】
一方、図４は、本発明の一例につき、他側機器側の他側連結面を示す説明図である。図５は、該他側連結面側に配置される他側ブッシュの説明図であり、そのうちの（ａ）は背面側からみた全体斜視図を、（ｂ）は正面側を上にして寝かせた状態の全体斜視図をそれぞれ示す。また、図６は、他側機器に他側ブッシュを配置した状態を示す全体斜視図である。
【００１４】
これらの図によれば、例えばデータロガーとアンプユニットとの組み合わせるなどしてなる本体ユニット機器としての一側機器１１と、該一側機器１１ととの関係で定まる特定の入力端子などからなる対応ユニット機器としての他側機器３１とで構成され、これら一側機器１１と他側機器３１とを連結することである特定機種の装置として用いることができるようになっている。
【００１５】
また、一側機器１１を構成している一側筐体１２と、他側機器３１を構成している他側筐体３２とは、一側筐体１２の一側連結面１３と他側筐体３２の他側連結面３３とを相互に対面させた配置関係のもとで連結されることになる。
【００１６】
この場合、一側筐体１２の一側連結面１３は、その下側中央部に円形凹部１５と、該円形凹部１５に連通させて径方向での外方に突出させ、かつ、その周方向に等間隔をおいて各別に設けられたて６個のキー溝１６とからなる一側連結部１４を設けて形成されている。
【００１７】
また、該一側連結部１４内には、ＡＢＳ材を含む適宜の合成樹脂材からなる一側ブッシュ２２を嵌合配置した上でねじ１８止めされる。該一側ブッシュ２２は、その外周面２３ａの軸方向に沿わせて突設された１条の突起部２４を備えた円筒状のブッシュ本体部２３と、該ブッシュ本体部２３の内部空間２７を一側空間部２７ａと他側空間部２７ｂに仕切っているねじ挿通孔２６を備える隔壁部２５とを備えて形成されている。
【００１８】
この場合、一側ブッシュ２２は、一側連結部１４における円形凹部１５内にブッシュ本体部２３をその他側空間部２７ｂが対面する位置関係で配置され、一側連結部１４におけるあるひとつのキー溝１６内に突起部２４が配置された状態のもとで一側連結部１４側に図８に示すようにねじ１８止めされている。
【００１９】
また、他側筐体３２の他側連結面３３は、一側連結面１３の一側連結部１４とその連結時に対面合致する位置に設けられた円形凹部３５と、該円形凹部３５に連通させて径方向での外方に突出させ、かつ、その周方向に等間隔をおいて各別に設けられた６個の位置決め溝３６とからなる他側連結部３４を設けて形成されている。
【００２０】
そして、該他側連結部３４内には、ＡＢＳ材を含む適宜の合成樹脂材からなる他側ブッシュ４２が図８に示すようにねじ３８止めされる。該他側ブッシュ４２は、一側ブッシュ２２におけるブッシュ本体部２３が浅く嵌合配置されるねじ挿通孔４５付きの底部４４を有する筒体部４３と、該筒体部４３の内部空間４３ａと連通して一側ブッシュ２２における突起部２４が収容される１条の突出溝部４６とを備えて形成されている。
【００２１】
この場合、他側ブッシュ４２は、他側連結部３４における円形凹部３５内に筒体部４３をその底部４４が対面する位置関係で配置され、他側連結部３４におけるあるひとつの位置決め溝３６内に突出溝部４６が配置された状態のもとで他側連結部３４側にねじ３８止めされている。
【００２２】
また、一側ブッシュ２２と他側ブッシュ４２とのそれぞれは、相互を嵌合連結させた際に一側連結面１３が備える突出部材１９との折り合いを付けるための座高が付与されて形成されている。
【００２３】
次に、上記構成からなる本発明の作用・効果を図示例に基づいて説明すれば、まず、特定機種の装置として用いることができる一側機器１１と他側機器３１との連結は、一側機器１１が備える一側ブッシュ２２と他側機器３１が備える他側ブッシュ４２とが相互に嵌合できる場合に限り行うことができる。
【００２４】
すなわち、ある特定機種の装置として用いられる一側機器１１と他側機器３１とは、一側機器１１の一側連結面１３の一側連結部１４に図３に示す位置関係のもとで一側ブッシュ２２を嵌合配置し、他側機器３１の他側連結面３３の他側連結部３４に図６に示す位置関係のもとで他側ブッシュ４２を嵌合配置しておく。
【００２５】
したがって、１つの特定機種の装置として用いられる一側機器１１と他側機器３１とは、その連結時に他側ブッシュ４２が備える突出溝部４６内に一側ブッシュ２２が備える突起部２４を配置できるか否かをもって連結の正誤を容易にチェックすることができることになる。
【００２６】
また、図示例のようにその連結時に同じ位置に突出溝部４６と突起部２４とが位置している場合には、一側ブッシュ２２と他側ブッシュ４２とを嵌合させることで、１つの特定機種の装置として図７に示すように誤りなく連結することができる。
【００２７】
しかも、図示例においては、一側連結部１４が６カ所にキー溝１６を有し、他側連結部３４が同じく６カ所に位置決め溝３６を有しているので、一側ブッシュ２２と他側ブッシュ４２とを６つの配置パターンで嵌合配置することができる。
【００２８】
したがって、図示例においては、６種類の特定機種の装置として一側機器１１と他側機器３１とを誤りなく連結することができることになる。
【００２９】
しかも、一側ブッシュ２２と他側ブッシュ４２とのそれぞれは、相互を嵌合連結させた際に一側連結面１３が備える突出部材１９との折り合いを付けるための座高が例えば図８に示すように付与されて形成されているので、相互間に突出部材１９の高さを吸収できる間隔を介在させて一側機器１１と他側機器３１とを相互に安定的に連結することができる。
【００３０】
以上は、本発明をデータロガーに適用した場合につき説明したものであり、その具体的な内容はこれに限定されるものではない。例えば、一側連結部が備えるキー溝と他側連結部が備える位置決め溝とは、特定機種の種類数に応じて２以上の適宜の複数カ所に、相互に同一の位置関係を保持させて設けておくことができる。
【図面の簡単な説明】
【００３１】
【図１】図１は、本発明の一例につき、その一側機器側の一側連結面を示す説明図。
【図２】図２は、該一側連結面側に配置される一側ブッシュの説明図であり、そのうちの（ａ）は全体斜視図を、（ｂ）は（ａ）の横断面図をそれぞれ示す。
【図３】一側機器に一側ブッシュを配置した状態で示す全体斜視図。
【図４】本発明の一例につき、その他側機器側の他側連結面を示す説明図。
【図５】該他側連結面側に配置される他側ブッシュの説明図であり、そのうちの（ａ）は背面側からみた全体斜視図を、（ｂ）は正面側を上にして寝かせた状態での全体斜視図をそれぞれ示す。
【図６】他側機器に他側ブッシュを配置した状態で示す全体斜視図。
【図７】本発明を適用して一側機器と他側機器との連結状態例を示す全体斜視図。
【図８】連結時における一側ブッシュと他側ブッシュの嵌合状態を示す断面図。
【符号の説明】
【００３２】
１１  一側機器
１２  筐体
１３  一側連結面
１４  一側連結部
１５  円形凹部
１６  キー溝
１８  ねじ
１９  突出部材
２２  一側ブッシュ
２３  ブッシュ本体部
２４  突起部
２５  隔壁部
２６  ねじ挿通孔
２７  内部区間
２７ａ  一側空間部
２７ｂ  他側空間部
３１  他側機器
３２  他側筐体
３３  他側連結面
３４  他側連結部
３５  円形凹部
３６  位置決め溝
３８  ねじ
４２  他側ブッシュ
４３  筒体部
４３ａ  内部空間
４４  底部
４５  ねじ挿通孔
４６  突出溝部
【図１】
2008270336.tif 000003
【図２】
2008270336.tif 000004
【図３】
2008270336.tif 000005
【図４】
2008270336.tif 000006
【図５】
2008270336.tif 000007
【図６】
2008270336.tif 000008
【図７】
2008270336.tif 000009
【図８】
2008270336.tif 000010